(57)【要約】【課題】栽培用具を購入して簡単に植物の栽培ができる植物栽培用パックを提供する。【解決手段】鉢型又はプランター型等の容器１０と、容器１０の水抜き孔を覆う通水性の多孔質マット１１と、多孔質マット１１に載置した保水性を有する培地１２と、培地１２を覆う培養土１３と、容器１０内の培養土１３を覆って容器１０を塞ぐ蓋体１４とからなり、蓋体１４で塞いだ容器をシュリンクフィルム１５で密封包装した植物栽培用パックである。【選択図】図１
0003127281.tif 000002
【実用新案登録請求の範囲】
【請求項１】
鉢型又はプランター型等の容器と、該容器の水抜き孔を覆う通水性の多孔質マットと、該多孔質マットに載置した保水性を有する培地と、該培地を覆う培養土と、該容器内の培養土を覆って該容器を塞ぐ蓋体とからなり、該蓋体で塞いだ該容器を樹脂包装シートで密封包装したことを特徴とする植物栽培用パック。
【請求項２】
前記培地がロックウールであり、前記培養土が腐葉土にハイドロボール、オガクズバーク、ピートモス、バーキュライト、パーライトの少なくとも１種、又は２種以上を配合したことを特徴とする請求項１に記載の植物栽培用パック。
【請求項３】
前記培養土と前記培地とを詰め込んで前記蓋体で塞いだ前記容器の密封包装が前記樹脂包装シートによるシュリンクパックであることを特徴とする請求項１又は２に記載の植物栽培用パック。
【請求項４】
前記蓋体が、生物分解性プラスチックであり、該蓋体に通水孔が多数形成されていることを特徴とする請求項１から３の何れか１項に記載の植物栽培用パック。
【請求項５】
前記培地が吸水性ポリマーであることを特徴とする請求項１から４の何れか１項に記載の植物栽培用パック。
【考案の詳細な説明】
【技術分野】
【０００１】
本考案は、植物を簡単に栽培することができる植物栽培用パックに関し、殊に植物栽培に適した培地を容器に組み込んだ栽培用具であり、栽培用具の販売の流通経路に適した形態とした植物栽培用パックに関する。
【背景技術】
【０００２】
従来の植物栽培用のプランターには、図３に示すように、プランター本体１の内部に植物５を栽培する培地６を設け、プランター本体１の底部に凹溝２を設け、凹溝２に温調パイプ３を挿通し、温水や冷水を循環すようにし、プランター本体１の上部には、点滴パイプ４を挿通して液肥及び水を一定の時間間隔に供給し、植物を冷害や渇水から保護しつつ植物の栽培ができるようにしたものがある（例えば、特許文献１参照）。
【０００３】
【特許文献１】特開平１１−２９９３５６号公報（明細書全文，図面全図）
【考案の開示】
【考案が解決しようとする課題】
【０００４】
従来例の植物栽培用のプランターは、プランターによる植物の栽培が温度変化や冷害に弱いといった欠点があり、このような問題点を解消するためになされたものであり、植物の栽培が気温や渇水に強い栽培が可能である点で優れている。しかし、プランター内に詰め込む培地は、別に調達しなければ植物を栽培することができないし、保水性等を考慮した培地の調整は初心者では困難な面があり、簡易に植物の栽培ができる栽培用具としては改良の余地があった。また、上記栽培用具の流通形態を考慮した場合、各部品をセットにして販売し、購入者が組み立てる必要があり、組立後、培地の保水性、栄養素等を考慮して培養土を購入してプランター内に詰め込まねばならないし、初心者が培地を調整するのは困難な面があり、また、ベランダなどで栽培する場合、培養土を調整する場所にも困ることもあった。また、業者が栽培用具をセットして提供する必要があり、栽培用具としての簡便性の点では改良の余地があった。
【０００５】
本考案は、上述のような課題に鑑みなされたものであり、栽培用具を購入し包装を開封して簡単に植物の栽培ができる植物栽培用パックを提供することを目的とする。
【課題を解決するための手段】
【０００６】
本考案は、上述の課題を解決したものであり、請求項１の考案は、鉢型又はプランター型等の容器と、該容器の水抜き孔を覆う通水性の多孔質マットと、該多孔質マットに載置した保水性を有する培地と、該培地を覆う培養土と、該容器内の培養土を覆って該容器を塞ぐ蓋体とからなり、該蓋体で塞いだ該容器を樹脂包装シートで密封包装したことを特徴とする植物栽培用パックである。
【０００７】
また、請求項２の考案は、前記培地がロックウールであり、前記培養土が腐葉土にハイドロボール、オガクズバーク、ピートモス、バーキュライト、パーライトの少なくとも１種、又は２種以上を配合したことを特徴とする請求項１に記載の植物栽培用パックである。
【０００８】
また、請求項３の考案は、前記培養土と前記培地とを詰め込んで前記蓋体で塞いだ前記容器の密封包装が前記樹脂包装シートによるシュリンクパックであることを特徴とする請求項１又は２に記載の植物栽培用パックである。
【０００９】
また、請求項４の考案は、前記蓋体が、生物分解性プラスチックであり、該蓋体に通水孔が多数形成されていることを特徴とする請求項１から３の何れか１項に記載の植物栽培用パックである。
【００１０】
また、請求項５の考案は、前記培地が吸水性ポリマーを含有することを特徴とする請求項１から４の何れか１項に記載の植物栽培用パックである。
【考案の効果】
【００１１】
請求項１の考案では、鉢型又はプランター型等の容器と、該容器の水抜き孔を覆う通水性の多孔質マットと、該多孔質マットに載置した保水性を有する培地と、該培地を覆う培養土と、該容器内の培養土を覆って該容器を塞ぐ蓋体とからなり、該蓋体で塞いだ該容器を樹脂包装シートで密封包装したことを特徴とする植物栽培用パックであるので、植物の育成に必要な培地、培養土が容器に詰め込まれて梱包されており、梱包を開封することによって、直ちに種蒔き、苗植え等植物の栽培が可能である利点があり、殊に家庭での植物の栽培に適している。また、植物栽培用パックは、植物の生育環境の整った容器を密封包装した梱包形態であり、輸送時に簡単に容器内容物が散乱するいったことがなく、輸送が容易であるとともに、植物栽培用パックを店頭の陳列棚等に並べるだけで直ぐに販売できる利点がある。
【００１２】
また、請求項２の考案では、前記培地がロックウールであり、前記培養土が腐葉土にハイドロボール、オガクズバーク、ピートモス、バーキュライト、パーライトの少なくとも１種、又は２種以上を配合したことを特徴とする請求項１に記載の植物栽培用パックであるので、植物に必要な栄養素を含み、保水性にも優れ、植物の品種毎に最適な培養土を提供できる利点がある。
【００１３】
また、請求項３の考案では、前記培養土と前記培地とを詰め込んで前記蓋体で塞いだ前記容器の密封包装が前記樹脂包装シートによるシュリンクパックであることを特徴とする請求項１又は２に記載の植物栽培用パックであるので、購入者は樹脂包装シートによる包装を開封すれば、直ちに種蒔いたり、苗を植え付けることが可能であり、家庭などで培養土の調整をする必要がなく、簡単に植物の栽培が可能なものである。
【００１４】
また、請求項４の考案では、前記蓋体が、生物分解性プラスチックであり、該蓋体に通水孔が多数形成されていることを特徴とする請求項１から３の何れか１項に記載の植物栽培用パックであるので、例えば、通水孔に種を入れて栽培することが可能であり、蓋体の比較的大きな通水孔を設けて、その通水孔の植物の苗を通して栽培することも可能であり、蓋体が水分の蒸発を防止して必要な湿り気を確保するのに有効である。
【００１５】
また、請求項５の考案では、前記培地が吸水性ポリマーを含有することを特徴とする請求項１から４の何れか１項に記載の植物栽培用パックであるので、保水性に富み、ベランダなどの渇水し易い環境で植物の栽培に適した栽培用具を提供できる利点がある。
【考案を実施するための最良の形態】
【００１６】
以下、本考案に係る植物栽培用パックの実施の形態について図面を参照して説明する。本実施形態は、植物の栽培を直ちに開始することができる栽培用具であり、栽培用具が植物の栽培を直ちに開始可能な状態で販売できる植物栽培用パックに関する。
【００１７】
図１は、本実施形態を示す側面図である。同図において、１０は鉢型容器であり、鉢型容器１０の底部に設けた水抜き孔１０ａを覆う通水性の多孔質マット１１が設けられ、多孔質マットに保水性を有し、ブロック状の培地１２が載置され、培地１２を覆うように培養土１３が詰め込まれ、さらに、培養土１３を覆って、鉢型容器１０を塞ぐように蓋体１４が設けられ、さらに蓋体１４で塞がれた鉢型容器１０の外周を樹脂シート１５で密封包装した植物栽培用パックである。密封包装はシュリンクフィルム等の樹脂シート１５を熱収縮したシュリンクパックであり、植物栽培用パックを逆さまにしたとしても鉢型容器１０内の培地１２や培養土１３等がこぼれ落ちることがなく、このような包装形態で販売が可能であり、シュリンクパックを開封することによって、植物の栽培用具として直ちに使用することができる。
【００１８】
多孔質マット１１は、通水性の良好な板状又はシート状のものであれば何れのものでもよいが、例えば、天然素材のものやセルローズスポンジが好ましい。
【００１９】
培地１２は植物に必要な微量元素が含有し、植物の根の成長が土の栽培環境に近いロックウールが好ましく、鉢型容器１０の内側に嵌るブロック形状のものであり、円柱状又は立方体形状のブロックが使用される。なお、培地１２は通水性を有する多孔質のプラスチックを利用することも可能であるが、微量元素を与えねばならないし、根の成長を促す環境や耐久性等を考慮すると、ロックウールが最も好ましい。なお、多孔質のプラスチックは、吸水性ポリマーなどのように、吸水性に富み、根の成長が良好なように繊維状にブロック化した材質であれば、渇水し易い環境での植物の栽培に適してものとすることが可能であり、ロックウールに限るものではない。
【００２０】
培養土１３は、腐葉土にハイドロボール、オガクズバーク、ピートモス、バーキュライト、パーライトの少なくとも１種、又は２種以上を配合したものが使用される。腐葉土は植物の栄養源とし、ハイドロボール、オガクズバーク、ピートモス、バーキュライト、パーライトは、通水性、保水性、保肥性を与え、植物、植物の根の生長に適したものが選択されて鉢型容器１０内に詰め込まれている。
【００２１】
蓋体１４は、発泡性樹脂シート等が使用されが、通常の発泡スチロール等の場合は取り除いて利用するが、環境に負荷を掛けない生分解性プラスチックなどを利用してもよい。生分解性プラスチック製の蓋体１４に小孔を多数設け、この小孔に種を挿入して均一に蒔いたり、例えば、蓋体１４の中央に円形開口部を設けて、この開口部から植物を培養土１３に植え付けるようにしてもよい。蓋体１４に通水孔を設けて蓋体１４を通して水やりが可能なようにしてもよい。生分解性プラスチックの蓋体１４は半年ほどで分解する。生分解性プラスチックは、澱粉を利用したものや、キチン・サトサンを利用したものや、セルロースを使用したもの等が用いられ、これらは植物の栄養源としても利用することができる。
【００２２】
上記のように、本考案の植物栽培用パックは、鉢型容器１０に、多孔質マット１１、培地１２、培養土１３、及び蓋体１４が設けられ、さらに蓋体１４で塞がれた鉢型容器１０をシュリンクフィルム（樹脂包装シート）１５を熱収縮させてシュリンクパックしたものである。上記のように、本考案の植物栽培用パックは、購入して直ちに栽培が可能な形態で顧客に提供することができる。
【００２３】
次に、図２を参照し他の実施形態について説明する。図２の植物栽培用パックは、プランター型容器２０と、プランター型容器２０の底部に設けた水抜き孔２０ａを覆う通水性の多孔質マット２１が設けられ、多孔質マット２１に保水性を有し、ブロック状の培地２２が載置され、培地２２を覆うように培養土２３が詰め込まれ、さらに、培養土２３を覆って、プランター型容器２０を塞ぐように蓋体２４が設けられ、さらに蓋体２４で塞がれたプランター型容器２０の外周を樹脂包装シート２５で密封包装した植物栽培用パックである。密封包装は、上記実施形態と同様にシュリンクフィルム等の樹脂包装シート２５を熱収縮したシュリンクパックであり、植物栽培用パックを逆さまにしたとしてもプランター型容器２０内の培地２２や培養土２３等がこぼれ落ちることがなく、このような包装形態で販売が可能であり、購入者はシュリンクパックを開封することによって、植物の栽培用具として直ちに使用することができる。
【００２４】
なお、本実施形態における多孔質マット２１、培地２２、培養土２３は、上記実施形態と同様のものである。なお、培地２２は、複数のブロックを載置するようにしてもよい。さらに、ブロックに数カ所切り込み部を有するものであってもよい。この場合、ブロックの切り込む部からブロック内に植物の根の成長し易いものとすることができる。
【００２５】
なお、上記実施形態では、鉢型、プランター型容器で説明したが、この実施形態に限定されることなく、これらとは異形形状の容器であってもよい。また、樹脂包装シートには、栽培可能な植物を印刷したり、栽培方法を印刷することも可能である。
【産業上の利用可能性】
【００２６】
本考案の活用例としては、購入して直ちに栽培が可能な栽培用具を植物栽培用パックとしたものであり、植物栽培用パックを商品として販売可能な商品形態として植物栽培用パックを販売することが可能である。
【図面の簡単な説明】
【００２７】
【図１】本考案に係る植物栽培用パックの一実施形態を示す断面図である。
【図２】本考案に係る植物栽培用パックの他の実施形態を示す断面図である。
【図３】従来のプランターによる栽培用具の一例を示す断面図である。
【符号の説明】
【００２８】
１０  鉢型容器
１１，２１  多孔質マット
１２，２２  培地
１３，２３  培養土
１４，２４  蓋体
１５，２５  シュリンクフィルム（樹脂包装シート）
【図１】
0003127281.tif 000003
【図２】
0003127281.tif 000004
【図３】
0003127281.tif 000005
【手続補正書】
【提出日】平成18年9月21日(2006.9.21)
【手続補正１】
【補正対象書類名】実用新案登録請求の範囲
【補正対象項目名】請求項５
【補正方法】変更
【補正の内容】
【請求項５】
前記培地が吸水性ポリマーであることを特徴とする請求項１に記載の植物栽培用パック。
【手続補正２】
【補正対象書類名】明細書
【補正対象項目名】００１０
【補正方法】変更
【補正の内容】
【００１０】
また、請求項５の考案は、前記培地が吸水性ポリマーであることを特徴とする請求項１に記載の植物栽培用パックである。
【手続補正３】
【補正対象書類名】明細書
【補正対象項目名】００１５
【補正方法】変更
【補正の内容】
【００１５】
また、請求項５の考案では、前記培地が吸水性ポリマーであることを特徴とする請求項１に記載の植物栽培用パックであるので、保水性に富み、ベランダなどの渇水し易い環境で植物の栽培に適した栽培用具を提供できる利点がある。